(57)【要約】      （修正有）【課題】医療用光ディスクカートリッジで、ライトプロテクトをかけ忘れて、メディア取り出し、そのメディアを一般の民生機器に装填起動しても、誤って重要なデータを消去することを防止する。【解決手段】ディスクの管理情報が記録されるリードインエリア８を持つ光ディスク２と光ディスクを内包するケースとからなる医療用光ディスクカートリッジ１において、リードインエリアに光ディスクのみで情報の記録を禁止する禁止情報を予め記録しておく。【選択図】図１
2012181889.tif 000002
【特許請求の範囲】
【請求項１】
ディスクの管理情報が記録されるリードインエリアを持つ光ディスクと前記光ディスクを内包するケースとからなる医療用光ディスクカートリッジにおいて、
前記リードインエリアに前記光ディスクのみで情報の記録を禁止する禁止情報を予め記録した医療用光ディスクカートリッジ。
【請求項２】
前記禁止情報は、記録禁止を示す第１の情報と前記第１の情報に固有の第２の情報からなる請求項１に記載の医療用光ディスクカートリッジ。
【請求項３】
前記ケースは、前記内包した光ディスクに情報の記録を禁止する記録禁止手段を有する請求項１に記載の医療用光ディスクカートリッジ。
【請求項４】
前記光ディスクのリードインエリアの内側にＢＣＡ（Ｂｕｒｓｔ  Ｃｕｔｔｉｎｇ  Ａｒｅａ）を持ち、前記ＢＣＡに個別製品情報を記録した請求項１に記載の医療用光ディスクカートリッジ。
【発明の詳細な説明】
【技術分野】
【０００１】
本発明は、医療情報を記録する医療用光ディスクカートリッジに係り、より詳細には、医療用光データカートリッジから取り出したメディアのデータの誤消去防止技術に関する。
【背景技術】
【０００２】
従来、医療情報システムで用いられる医療用光ディスクカートリッジは、メディアが医療現場の血液や薬品で汚染されないようにするため、ケースにメディアを内包していた（例えば、非特許文献１を参照。）。
【０００３】
医療用光ディスクカートリッジのケースには、患者の診断画像や診断検査結果等の重要なデータを保護する誤消去防止のライトプロテクトスイッチが備えられている。医師などの使用者が、このライトプロテクトスイッチを手動で設定することで、メディアへのデータ記録が許可あるいは不許可になり、データの誤消去を防止していた。
【０００４】
ところが、使用者がケースからメディアを取り出すと、このメディアにはデータ記録の不許可設定の情報がメディアに反映されていない。そのため、別の使用者が、ケースから取り出したメディアを使用する場合、このメディアに記録されたデータが上書きや消去して良いものかわからないまま、誤ってデータを消去することがあった。
【０００５】
そのため、使用者はケースのライトプロテクトスイッチがＯＮのとき、メディアにライトプロテクトフラグを立てていた（例えば、特許文献１を参照。）。
【先行技術文献】
【特許文献】
【０００６】
【特許文献１】特開２００１−２１６７１０号公報
【非特許文献】
【０００７】
【非特許文献１】「ＨＰ  Ｕｌｔｒａ  Ｄｅｎｓｉｔｙ  Ｏｐｔｉｃａｌストレージ  メディア」、平成２３年２月１０日検索、インターネット＜ＵＲＬ：ｈｔｔｐ：／／ｈ５０１４６．ｗｗｗ５．ｈｐ．ｃｏｍ／ｐｒｏｄｕｃｔｓ／ｓｔｏｒａｇｅ／ｏｐｔｉｏｎ／ｕｄｏ／ｉｎｄｅｘ．ｈｔｍｌ＞
【発明の概要】
【発明が解決しようとする課題】
【０００８】
しかしながら、前記従来の構成では、使用者がケースのライトプロテクトスイッチを設定し忘れて、メディアを取り出したとき、そのメディアを一般の民生機器に装填起動すると、誤って重要なデータを消去してしまうという課題が発生していた。
【０００９】
本発明は、前記従来の課題を解決するもので、医療用光ディスクカートリッジで、ライトプロテクトをかけ忘れて、メディア取り出し、そのメディアを一般の民生機器に装填起動すると、誤って重要なデータを消去しない医療用光ディスクカートリッジを提供することを目的とする。
【課題を解決するための手段】
【００１０】
前記従来の課題を解決するために、本発明の医療用光ディスクカートリッジは、ディスクの管理情報が記録されるリードインエリアを持つ光ディスクと前記光ディスクを内包するケースとからなる医療用光ディスクカートリッジにおいて、前記リードインエリアに前記光ディスクのみで情報の記録を禁止できる禁止情報を予め記録したことを特徴としたものである。
【発明の効果】
【００１１】
本発明の医療用光ディスクカートリッジによれば、ライトプロテクトをかけ忘れて、メディア取り出し、そのメディアを一般の民生機器に装填起動しても、誤って重要なデータを消去することを防止できる。
【図面の簡単な説明】
【００１２】
【図１】（ａ）本発明の医療用光ディスクカートリッジを示す斜視図（ｂ）本発明の医療用光ディスクカートリッジから取り出した光ディスクを示す斜視図
【図２】本発明の医療用光ディスクカートリッジにおけるＢＣＡの詳細を示す図
【図３】本発明の医療用光ディスクカートリッジにおけるリードインエリアとＰＡＣ領域の配置を示す図
【図４】（ａ）本発明の医療用光ディスクカートリッジにおけるＰＡＣ領域のＤＷＰ  ＰＡＣを詳細に示す図（ｂ）本発明の医療用光ディスクカートリッジにおけるＰＡＣ領域のＰｒｉｍａｒｙ  ＰＡＣを詳細に示す図
【図５】本発明の医療用光ディスクカートリッジの製造プロセスを示すフローチャート
【発明を実施するための形態】
【００１３】
以下に、本発明の医療用光ディスクカートリッジの実施の形態を図面とともに詳細に説明する。
【００１４】
（実施の形態）
図１は、本発明の実施の形態における医療用光ディスクカートリッジ１を、裏面から見た斜視図である。図１（ａ）は、医療用光ディスクカートリッジ１に納められた光ディスク２を示し、図１（ｂ）は、医療用光ディスクカートリッジ１のケース３から取り出した光ディスク２を示す図である。
【００１５】
図１（ａ）において、医療用光ディスクカートリッジ１は、ディスクの管理情報が記録されている光ディスク２と、この光ディスク２を内包するケース３で構成されている。なお、医療用光ディスクカートリッジ１は、光ディスク２の情報を記録する記録面を裏面とした場合、この裏面が上面になるように示している。
【００１６】
次に、ケース３は、内包した光ディスク２に情報の記録を禁止する記録禁止手段（以下、ライトプロテクトスイッチと示す）４と、医療用光ディスクカートリッジ１であることを示す認識穴５を備えている。このライトプロテクトスイッチ４は、使用者によって、光ディスク２への情報記録を許可または禁止に設定できるようになっている。つまり、使用者がライトプロテクトスイッチ４をＯＮしライトプロテクトを有効にすることにより、光ディスク２への情報記録が禁止される設定になる。また、ライトプロテクトスイッチ４をＯＦＦしライトプロテクトを無効にすることにより、光ディスク２への情報記録が許可される設定になる。
【００１７】
なお、ケース３は、光ディスク２に情報の記録や読出しを行う場合に、シャッター６を開放してケース３から内包した光ディスク２が見えるようになっている。
【００１８】
図１（ｂ）において、光ディスク２は、ディスクの管理情報や使用者が記録するデータなどの情報が記録される記録面を上面として図示している。
【００１９】
この光ディスク２の記録面側には、Ｂｕｒｓｔ  Ｃｕｔｔｉｎｇ  Ａｒｅａ（以下、ＢＣＡと示す）７、リードインエリア８、ユーザーデータエリア９、リードアウトエリア１０が配置されている。
【００２０】
ＢＣＡ７は、図１（ｂ）に示すように、リードインエリア８の内側に形成され、光ディスク２の個別製品情報が記録されている。
【００２１】
次に、リードインエリア８は、ユーザーデータエリア９の内側に配置され、ディスクの管理情報やユーザーデータエリア９のレイアウト情報などが含まれている。このレイアウト情報は、光ディスク２の欠陥セクタの交替領域をユーザーデータエリア９の中のどこに配置するかなどの情報である。
【００２２】
さらに、ユーザーデータエリア９は、リードアウトエリア１０の内側に配置され、使用者が記録するデータである、医療用画像データなどが記録できるようになっている。
【００２３】
また、リードアウトエリア１０は、リードインエリア８に記録されるユーザーデータエリア９のレイアウト情報などをリードインエリア８同様に含んでいる。これは、リードインエリア８のレイアウト情報が読めない場合を考慮したものであり、リードインエリア８の情報取得に失敗した場合などにリードアウトエリア１０のレイアウト情報が参照される。
【００２４】
次に、図２は、図１（ｂ）のＢＣＡ７に記録する光ディスク２の個別製品情報を説明する図である。ＢＣＡ７は、光ディスク２の製造プロセスにおいて、光ディスク２の内周領域（半径方向２１．０ｍｍ〜２２．２ｍｍの領域）をＹＡＧレーザなどのハイパワーレーザを照射して記録される。また、ＢＣＡ７は、光ディスク２の種類や光ディスク２を特定するためのシリアルナンバーなどの情報が格納される。
【００２５】
まず、図２において、ＢＣＡ７を拡大したＢＣＡ７ａ内には、シリアルナンバー設定エリア１１が設けられている。このシリアルナンバー設定エリア１１は、シリアルナンバー設定エリアＡ１２と、シリアルナンバー設定エリアＢ１３で構成される。
【００２６】
シリアルナンバー設定エリアＡ１２は、医療用光ディスクカートリッジ１であることを示すための情報が上位３バイトに格納され、例えば、“ＭＩＤ”が記録される。また、シリアルナンバー設定エリアＢ１３は、光ディスク２を個々に特定するためのシリアルナンバー情報が格納され、例えば、“Ａ１２３４５６７８”が記録される。
【００２７】
次に、本発明の実施の形態における光ディスク２のリードインエリア８に記録される禁止情報を図３と図４を用いて説明する。図３は、光ディスク２のリードインエリア８を拡大した図である。図４は、本発明の光ディスク２の情報記録を禁止する禁止情報と、光ディスク２の固有の情報を説明するための図である。
【００２８】
まず、図３において、リードインエリア８は、再生専用領域のエンボスゾーン１４と、書換可能な領域のリライタブルゾーン１５で構成される。リライタブルゾーン１５には、変更が必要な情報が収められ、その中にＩＮＦＯ１領域１６と呼ばれる情報がある。このＩＮＦＯ１領域１６は、光ディスク２へのアクセスを管理する情報が格納されている。
【００２９】
なお、再生専用領域のエンボスゾーン１４の情報は、光ディスク２の記録面を凹凸にしたプリピットで格納しなくてもよい。例えば、エンボスゾーン１４の記録トラックのピッチ間隔をリライタブルゾーン１５のピッチ間隔よりも広くする。すると、このエンボスゾーン１４の記録トラックは、ピッチ間隔が広くなったので、エンボスゾーン１４とリライタブルゾーン１５との識別も行うことが容易になり、さらに隣接トラックとのクロストークを低減したウォブルトラックを形成できる。このように、エンボスゾーン１４の情報は、ウォブルトラックをプッシュプル方式で再生したときのプッシュプル信号によって得られるようにしてもよい。
【００３０】
次に、光ディスク２のみで情報の記録を禁止する禁止情報の第１の情報は、光ディスク２への記録を禁止するフラグ情報（以下、記録禁止フラグ情報とする）である。また、記録禁止フラグ情報に固有の第２の情報は、パスワード情報である。このパスワード情報は、記録禁止フラグ情報によって光ディスク２への記録が禁止の場合に、使用者以外の第三者による記録禁止フラグ情報の書き換えを防止するときに利用される。
【００３１】
さらに、記録禁止フラグ情報とパスワード情報は、ＩＮＦＯ１領域１６に配置されたＰＡＣ領域１７内のＤＷＰ  ＰＡＣ１８に格納される。また、Ｐｒｉｍａｒｙ  ＰＡＣ１９は、医療用光ディスクカートリッジ１の光ディスク２に固有な情報を含み、ＰＡＣ領域１７内のＤＷＰ  ＰＡＣ１８とは異なる位置に配置される。
【００３２】
次に、図４において、図４（ａ）は記録禁止フラグ情報とパスワード情報を含む図３のＰＡＣ領域１７のＤＷＰ  ＰＡＣ１８を説明するための図である。また、図４（ｂ）は光ディスク２の固有情報を含む図３のＰＡＣ領域１７のＰｒｉｍａｒｙ  ＰＡＣ１９を説明するための図である。
【００３３】
まず、図４（ａ）において、ＤＷＰ  ＰＡＣ１８は、ライトプロテクト設定エリア２０、パスワードエリア２１、ＩＤ２２などで構成される。
【００３４】
ライトプロテクト設定エリア２０は、光ディスク２への記録を禁止する記録禁止フラグ情報が記録され、ＤＷＰ  ＰＡＣ１８の先頭から３８８バイトから１バイト分に配置される。このライトプロテクト設定エリア２０は、ライトプロテクトＯＮ状態を示す値である“５”と設定すると、例えば、一般の民生機器において光ディスク２への記録は禁止になる。同様に、ライトプロテクト設定エリア２０を、ライトプロテクトＯＦＦ状態を示す値である“０”と設定すると光ディスク２への記録が許可される。次に、ＤＷＰ  ＰＡＣ１８内には、パスワードエリア２１が配置される。このパスワードエリア２１のパスワード情報は、ライトプロテクト設定エリア２０が光ディスク２への記録の禁止を示す“５”に設定されたときに利用される。また、パスワードエリア２１には、任意の値が設定される。パスワードエリア２１に設定された値は、光ディスク２を記録再生する装置にパスワード情報として使用者が予め設定した値と比較される。この比較した値どうしが、一致しなければ光ディスク２への情報記録は禁止され、第三者による記録禁止フラグ情報の書き換えを防止するものである。
【００３５】
また、ＩＤ２２は、ＤＷＰ  ＰＡＣ１８であることを識別するための情報が格納され、ＤＷＰ  ＰＡＣ１８の先頭から３バイト分に配置される。
【００３６】
次に、図４（ｂ）に示すように、Ｐｒｉｍａｒｙ  ＰＡＣ１９は、医療用光ディスクカートリッジ１の光ディスク２に固有な情報のドライブ情報エリア２３とＩＤ２４などで構成される。ドライブ情報エリア２３は、使用したドライブの履歴情報が設定される。例えば、ドライブ情報エリア２３には、“Ｄｒｉｖｅ＿Ａ”が設定される。また、ＩＤ２４は、Ｐｒｉｍａｒｙ  ＰＡＣ１９であることを識別するための情報で、Ｐｒｉｍａｒｙ  ＰＡＣ１９の先頭から３バイト分に配置される。
【００３７】
図５は、本発明の実施の形態における医療用光ディスクカートリッジ１の製造プロセスを示す図である。
【００３８】
図５において、ステップＳ１は、医療用光ディスクカートリッジ１の製造の開始を示す。
【００３９】
ステップＳ２は、ステップＳ１の後、光ディスク２にＢＣＡ７を記録するためのステップである。ステップＳ２では、例えば、波長４０５ｎｍ、出力０．５ＷのＹＡＧレーザを光ディスク２の記録膜に照射して、ＢＣＡ７のシリアルナンバー設定エリア１１に記録する。シリアルナンバー設定エリア１１の上位３バイトであるシリアルナンバー設定エリアＡ１２には、“ＭＩＤ”をＢＣＡコードに変換し記録する。また、シリアルナンバー設定エリア１１の残りの領域であるシリアルナンバー設定エリアＢ１３には、“Ａ１２３４５６７８”をＢＣＡコードに変換して記録する。
【００４０】
次に、ステップＳ３は、ステップＳ２の後、ＢＣＡ７が記録された光ディスク２をケース３に収納するステップである。
【００４１】
次に、ステップＳ４は、ステップＳ３で、ケース３に収納した光ディスク２のフォーマットを行うステップである。まず、光ディスク２が収納されたケース３を医療用光ディスクカートリッジ１にデータを記録できる記録再生装置に装填する。その後、医療用光ディスクカートリッジ１の光ディスク２として使用するために必要な各種情報の設定を行う。このとき、光ディスク２の固有情報を、ドライブ情報エリア２３に、例えば“Ｄｒｉｖｅ＿Ａ”を記録する。ＩＤ２４には、“ＰＲＭ”を記録する。
【００４２】
次に、ステップＳ５は、ステップＳ４の後、ケース３に収納した光ディスク２のリードインエリア８のライトプロテクト設定を行うステップである。リードインエリア８のライトプロテクト設定は、ＤＷＰ  ＰＡＣ１８のライトプロテクト設定エリア２０に記録禁止設定の“０５”を記録する。また、パスワードエリア２１に任意に設定した値を記録し、ＩＤ２２に“ＤＷＰ”を記録する。
【００４３】
次に、ステップＳ５の後、ステップＳ６では、ステップＳ２で記録したＢＣＡ７の情報、ステップＳ４とステップＳ５で記録したリードインエリア８の情報が正しく記録できているかを判断するステップである。ＢＣＡ７およびリードインエリア８を記録再生装置で読出し、読み出したデータが正しい値で記録されている場合は、ステップＳ７に進み、読み出したデータが正しい値で記録されてなければ、ステップＳ８へ進む。
【００４４】
次に、ステップＳ８では、ステップＳ６で光ディスク２のＢＣＡ７もしくはリードインエリア８が正しい値で記録されていないと判断されたので、再検査を行うステップである。再検査では、ＢＣＡ７もしくはリードインエリア８で、正しい値が記録されていない箇所を特定する。
【００４５】
次に、ステップＳ７では、ステップＳ６で光ディスク２のＢＣＡ７およびリードインエリア８が正しい値で記録されていると判断されたので、出荷作業を行うステップである。出荷作業では、まず、医療用光ディスクカートリッジ１として製造できた光ディスク２の入ったケース３を、記録再生装置から取り出す。次に、この医療用光ディスクカートリッジ１を、パッケージングした後、ステップＳ９で医療用光ディスクカートリッジ１の製造プロセスが終了する。
【００４６】
以上のように、本発明の医療用光ディスクカートリッジ１は、製造段階で光ディスク２のライトプロテクト情報であるＤＷＰ  ＰＡＣ１８を、光ディスク２の記録を不許可に設定する。また、一般の民生機器は、このライトプロテクト情報であるＤＷＰ  ＰＡＣ１８を認識するので、ＤＷＰ  ＰＡＣ１８が記録を不許可とする設定になっていると光ディスク２には記録できない。これにより、使用者がライトプロテクト情報を誤って設定し忘れて、光ディスク２を取り出し、その光ディスク２を一般の民生機器に装填起動しても、光ディスク２には記録できない。従って、使用者が光ディスク２の重要なデータを誤って消去することを防止できる。
【産業上の利用可能性】
【００４７】
本発明にかかる医療用光ディスクカートリッジは、ケースからメディアを取り出しても誤って重要なデータを消去することを防止できるので、医療分野におけるデータカートリッジとして有用である。
【符号の説明】
【００４８】
１  医療用光ディスクカートリッジ
２  光ディスク
３  ケース
４  ライトプロテクトスイッチ
５  認識穴
６  シャッター
７  ＢＣＡ
７ａ  ＢＣＡ
８  リードインエリア
９  ユーザーデータエリア
１０  リードアウトエリア
１１  シリアルナンバー設定エリア
１２  シリアルナンバー設定エリアＡ
１３  シリアルナンバー設定エリアＢ
１４  エンボスゾーン
１５  リライタブルゾーン
１６  ＩＮＦＯ１領域
１７  ＰＡＣ領域
１８  ＤＷＰ  ＰＡＣ
１９  Ｐｒｉｍａｒｙ  ＰＡＣ
２０  ライトプロテクト設定エリア
２１  パスワードエリア
２２  ＩＤ
２３  ドライブ情報エリア
２４  ＩＤ
【図２】
2012181889.tif 000003
【図３】
2012181889.tif 000004
【図４】
2012181889.tif 000005
【図５】
2012181889.tif 000006
【図１】
2012181889.tif 000007